(57)【要約】【課題】隣り合う２つのカバー間に生じる暗がりを低減させる。【解決手段】第１カバー２３は、透光性材料により長尺に形成され、且つ基板２２１を覆うようにして取付部材２１に取り付けられる。第２カバー２４は、透光性材料により形成され、且つ第１カバー２３の長手方向における端部に取り付けられる。第１カバー２３は、取付部材２１に取り付けられた状態で基板２２１と対向する曲面部２３１を有する。第２カバー２４は、第１カバー２３の長手方向において、第１カバー２３に最も近づく第１位置と第１カバー２３から最も離れる第２位置との間で移動可能に構成される。この第２カバー２４は、上記第１位置に移動した状態で曲面部２３１と対向し、且つ上記第２位置に移動した状態で第１カバー２３から露出する曲面部２４２を有する。【選択図】図１
2015176746.tif 000002
【特許請求の範囲】
【請求項１】
１乃至複数の発光素子が実装された基板と、
長尺に形成され、且つ前記基板が取り付けられる取付部材と、
透光性材料により長尺に形成され、且つ前記基板を覆うようにして前記取付部材に取り付けられる第１カバーと、
透光性材料により形成され、且つ前記第１カバーの長手方向における端部に取り付けられる第２カバーとを備え、
前記第１カバーは、前記取付部材に取り付けられた状態で前記基板と対向する第１透光部を有し、
前記第２カバーは、前記第１カバーの長手方向において前記第１カバーに最も近づく第１位置と前記第１カバーから最も離れる第２位置との間で移動可能に構成され、
前記第２カバーは、前記第１位置に移動した状態で前記第１透光部と対向し、且つ前記第２位置に移動した状態で前記第１カバーから露出する第２透光部を有していることを特徴とする光源ユニット。
【請求項２】
前記第１カバー及び前記第２カバーは、前記第１カバーに対する前記第２カバーの移動量を規制する規制部を有していることを特徴とする請求項１記載の光源ユニット。
【請求項３】
前記第１カバーと同系色の透光性材料により形成された第３カバーを備え、
前記第３カバーは、前記第２カバーを前記第２位置へ移動させた状態で露出する前記第２透光部を覆うようにして前記第２カバーに取り付けられることを特徴とする請求項１又は２記載の光源ユニット。
【請求項４】
前記第２カバーは、少なくとも前記第２透光部が無色透明であることを特徴とする請求項３記載の光源ユニット。
【請求項５】
請求項１〜４の何れか１項に記載の光源ユニットと、前記光源ユニットが取り付けられる器具本体とを備えていることを特徴とする照明器具。
【発明の詳細な説明】
【技術分野】
【０００１】
本発明は、一般に光源ユニット及びそれを用いた照明器具に関し、より詳細には発光素子を光源とする光源ユニット及びそれを用いた照明器具に関する。
【背景技術】
【０００２】
従来、天井面に取り付けられる天井直付け型の照明器具が提供されている（例えば特許文献１参照）。特許文献１に記載された照明器具は、横長且つ長尺に形成された器具本体と、器具本体に取り付けられる光源部とを備える。光源部は、横長且つ長尺に形成された取付部材と、複数の発光素子が実装された基板と、透光性材料により形成されたカバーとを具備する。
【０００３】
取付部材は、平坦且つ長尺に形成された底壁と、底壁の幅方向における両側から底壁と直交する方向に立ち上がる一対の側壁とを有し、ねじ止め等によって基板が底壁に取り付けられる。カバーは、長尺且つ半円筒状に形成され、基板を覆うようにして取付部材に取り付けられる。
【先行技術文献】
【特許文献】
【０００４】
【特許文献１】特開２０１２−３９９３号公報
【発明の概要】
【発明が解決しようとする課題】
【０００５】
上述の特許文献１に示した照明器具は、天井面に取り付けられた器具本体に対して光源部を取り付ける構造であるため、例えば取付性や意匠性などを考慮して、光源部の長手寸法及び幅寸法を器具本体の長手寸法及び幅寸法よりも小さくするのが一般的である。
【０００６】
そして、オフィスなどの施設において複数の照明器具を長手方向に並べて設置した場合には、隣り合う２つのカバー間に隙間が生じ、且つこの隙間には光源が存在しないため、照明器具を点灯させた際に暗がりが生じてしまう。その結果、照明器具を含めた空間全体としての意匠性が低下するという問題があった。
【０００７】
本発明は上記問題点に鑑みて為されており、隣り合う２つのカバー間に生じる暗がりを低減させた光源ユニット及びそれを用いた照明器具を提供することを目的とする。
【課題を解決するための手段】
【０００８】
本発明の光源ユニットは、１乃至複数の発光素子が実装された基板と、長尺に形成され、且つ前記基板が取り付けられる取付部材と、透光性材料により長尺に形成され、且つ前記基板を覆うようにして前記取付部材に取り付けられる第１カバーと、透光性材料により形成され、且つ前記第１カバーの長手方向における端部に取り付けられる第２カバーとを備え、前記第１カバーは、前記取付部材に取り付けられた状態で前記基板と対向する第１透光部を有し、前記第２カバーは、前記第１カバーの長手方向において前記第１カバーに最も近づく第１位置と前記第１カバーから最も離れる第２位置との間で移動可能に構成され、前記第２カバーは、前記第１位置に移動した状態で前記第１透光部と対向し、且つ前記第２位置に移動した状態で前記第１カバーから露出する第２透光部を有していることを特徴とする。
【０００９】
この光源ユニットにおいて、前記第１カバー及び前記第２カバーは、前記第１カバーに対する前記第２カバーの移動量を規制する規制部を有しているのが好ましい。
【００１０】
また、この光源ユニットにおいて、前記第１カバーと同系色の透光性材料により形成された第３カバーを備え、前記第３カバーは、前記第２カバーを前記第２位置へ移動させた状態で露出する前記第２透光部を覆うようにして前記第２カバーに取り付けられるのも好ましい。
【００１１】
また、この光源ユニットにおいて、前記第２カバーは、少なくとも前記第２透光部が無色透明であるのが好ましい。
【００１２】
本発明の照明器具は、上記光源ユニットと、上記光源ユニットが取り付けられる器具本体とを備えていることを特徴とする。
【発明の効果】
【００１３】
本発明の構成によれば、複数の照明器具を長手方向に並べて設置した場合に生じる第１カバー間の隙間に第２カバーの第２透光部を移動させることで、発光素子から照射される光を第２透光部を通して照明空間側に照射することができる。これにより、上記隙間に生じる暗がりを低減することができ、その結果、照明器具を含めた空間全体の意匠性が低下するのを抑えることができる。
【図面の簡単な説明】
【００１４】
【図１】（ａ）、（ｂ）は本実施形態の光源ユニットの要部拡大図である。
【図２】（ａ）、（ｂ）は本実施形態の光源ユニットの別の要部拡大図である。
【図３】（ａ）〜（ｃ）は本実施形態の光源ユニットの施工手順を説明する説明図である。
【図４】（ａ）〜（ｅ）は本実施形態の光源ユニットを用いた照明器具の施工手順を説明する説明図である。
【図５】本実施形態の光源ユニットを用いた照明器具の分解斜視図である。
【図６】本実施形態の光源ユニットを用いた照明器具の全体斜視図である。
【図７】本実施形態の光源ユニットを用いた照明器具の一部省略せる断面図である。
【発明を実施するための形態】
【００１５】
本発明に係る光源ユニット及びそれを用いた照明器具の実施形態について、図１〜図７を参照しながら具体的に説明する。なお、以下の説明では特に断りがない限り、図５において上下、前後、左右の各方向を規定する。したがって、器具本体１の長手方向が前後方向となり、器具本体１の幅方向が左右方向となる。
【００１６】
本実施形態の照明器具１０は、例えば天井直付け型の照明器具であり、吊ボルト（図示せず）を用いて天井材（図示せず）に取り付けられる器具本体１と、器具本体１に対して着脱自在に取り付けられる光源ユニット２とを備える。
【００１７】
器具本体１は、図５に示すように、板金に曲げ加工することで長尺且つ上面が開口する扁平な箱状に形成され、器具本体１の下面側には、光源ユニット２を収容するための矩形の凹部１１が全長に亘って設けられている。また、器具本体１の凹部１１の左右両側には、凹部１１の開口端縁から斜め上方に傾斜する傾斜部１２，１２がそれぞれ設けられている。
【００１８】
また、凹部１１の底面部１１１には、電線を通すための孔１１１０が前後方向（長手方向）に沿って複数（図５では３個）設けられるとともに、吊ボルトを通すための孔１１１１が前後方向における両端側にそれぞれ２個ずつ設けられている。
【００１９】
光源ユニット２は、図５に示すように、２つのＬＥＤモジュール２２と、取付部材２１と、第１カバー２３と、２つ（図５では片側のみ図示）の第２カバー２４と、電源装置２５とを備える。
【００２０】
ＬＥＤモジュール２２は、前後方向に長い矩形板状に形成された基板２２１を有し、基板２２１の一面（下面）には、複数のＬＥＤ２２２（発光素子）が前後方向（基板２２１の長手方向）に沿って一列に実装されている。
【００２１】
また、一方（図５中の左側）の基板２２１の後端部には、電源装置２５との間を電気的に接続するためのコネクタ２２３が実装されている。このコネクタ２２３には電線（図示せず）が接続されており、この電線の端部を電源装置２５の出力端に接続することで基板２２１と電源装置２５との間が電気的に接続される。
【００２２】
さらに、各基板２２１において隣接する基板２２１と対向する端部には、電源供給用のコネクタ２２４がそれぞれ実装されている。そして、両基板２２１，２２１のコネクタ２２４，２２４を接続することで、一方（図５中の左側）の基板２２１から他方（図５中の右側）の基板２２１に点灯電力を供給することができる。
【００２３】
取付部材２１は、図５に示すように、板金に曲げ加工することでＵ字状に形成され、長尺且つ矩形板状に形成された底面部２１１と、底面部２１１の左右方向（幅方向）における両端から上向きに延長された一対の側面部２１２とで構成される。各側面部２１２の先端（上端）には、円管状に折り曲げることで形成された引掛部２１２０（図７参照）が全長に亘って設けられている。
【００２４】
底面部２１１の前後方向における両端には、基板２２１のコネクタ２２３に接続された上記電線を通すための孔２１１０が、底面部２１１の中心（重心）に対して点対称な位置にそれぞれ設けられている。なお、上述の基板２２１，２２１は、例えば取付部材２１の底面部２１１の一部を切り起こすことで形成された固定片（図示せず）により底面部２１１の下面に固定される。
【００２５】
第１カバー２３は、図５に示すように、長尺であって、拡散性を有する材料（例えば乳白色のアクリル樹脂）により上側（取付部材２１側）が開口する半円筒形状に形成されている。この第１カバー２３は、左右方向（幅方向）において両端から中央に近づくほど下側への突出量が大きくなるような凸レンズ形状の曲面部２３１（第１透光部）を有している。
【００２６】
曲面部２３１の左右方向における両端には、上向きに突出する突壁部２３３がそれぞれ全長に亘って形成されており、各突壁部２３３の先端には、内向きに突出する突起部２３３０が設けられている。また、曲面部２３１の左右方向における両端には、各突壁部２３３よりも外側に突出する突出部２３２がそれぞれ全長に亘って形成されている。
【００２７】
第２カバー２４は、第１カバー２３と同じ拡散性を有する材料からなり、半円板状に形成されたエンド板２４１と、エンド板２４１の一面より前後方向に延長された曲面部２４２（第２透光部）とを有している（図３（ａ）参照）。
【００２８】
曲面部２４２は、第１カバー２３の曲面部２３１と同様に、左右方向における両端から中央に近づくほど下側への突出量が大きくなるような凸レンズ形状に形成されている。そして、第２カバー２４を第１カバー２３に取り付けた状態では、曲面部２４２が曲面部２３１に沿って配置される。つまり、本実施形態では、曲面部２３１の曲率と曲面部２４２の曲率とが同じである。
【００２９】
また、曲面部２４２の左右方向における両端側には、前後方向における一端（エンド板２４１と反対側の端部）が開口し、且つ前後方向に沿って形成された横長の溝２４２０がそれぞれ設けられている（図３（ａ）参照）。
【００３０】
この第２カバー２４は、第１カバー２３の前後方向（長手方向）における両端にそれぞれ取り付けられ、第１カバー２３に取り付けられた状態では突壁部２３３，２３３が溝２４２０，２４２０内にそれぞれ差し込まれている（図３（ａ）及び図３（ｂ）参照）。また、第２カバー２４は、第１カバー２３に最も近づく第１位置（図２（ａ）に示す位置）と、第１カバー２３から最も離れる第２位置（図２（ｂ）に示す位置）との間で移動可能に構成されている。
【００３１】
電源装置２５は、図５に示すように、電源回路部２５１と、電源回路部２５１を収納するためのケース２５２とを有する。電源回路部２５１は、前後方向に長い矩形板状に形成された基板２５１０を有し、基板２５１０の一面（下面）には、少なくともＬＥＤ２２２の点灯電力を生成するための回路部品（トランスやダイオード、コンデンサなど）２５１１が実装されている。
【００３２】
ケース２５２は、図５に示すように、一面（下面）が開口し且つ前後方向に長い矩形箱状に形成されており、開口側を取付部材２１の底面部２１１に対向させた状態で適宜の取付方法（例えばねじなど）により取付部材２１に取り付けられる。
【００３３】
次に、光源ユニット２の組立手順について説明する。まず最初に、作業者は、電源装置２５を取付部材２１の上面側に取り付け、さらにＬＥＤモジュール２２を上記固定片により取付部材２１の下面に固定する。その後、作業者は、ＬＥＤモジュール２２のコネクタ２２３に接続された上記電線を取付部材２１の底面部２１１に設けた孔２１１０に通し、その端部を電源装置２５の出力端に接続する。
【００３４】
さらに、作業者は、開口側を上向きにした状態で第１カバー２３を取付部材２１に取り付ける。このとき、第１カバー２３の各突壁部２３３に設けられた突起部２３３０が取付部材２１の各側面部２１２に設けられた引掛部２１２０に引っ掛かることで、第１カバー２３が取付部材２１に取り付けられる（図７参照）。またこのとき、第１カバー２３の曲面部２３１は、取付部材２１の底面部２１１に取り付けられた基板２２１と対向する。
【００３５】
そして最後に、作業者は、第１カバー２３の前後方向における両端に第２カバー２４をそれぞれ取り付ける。このとき、第１カバー２３の突壁部２３３，２３３を第２カバー２４の溝２４２０，２４２０内にそれぞれ差し込んだ状態で第１カバー２３に近づける向きに第２カバー２４を押し込むことで、第２カバー２４が第１カバー２３に取り付けられる。以上のような手順に従って光源ユニット２が組み立てられる。
【００３６】
続けて、照明器具１０の施工手順について説明する。まず最初に、作業者は、天井裏に先行配線された電源線（図示せず）を器具本体１の孔１１１０に通す。さらに、作業者は、室内側に露出する吊ボルト（図示せず）を孔１１１１に通した後、吊ボルトにナット（図示せず）をねじ込んで器具本体１を天井材（図示せず）に固定する。
【００３７】
その後、作業者は、上記電源線を器具本体１に取り付けられた端子台（図示せず）に接続するととともに、端子台と電源装置２５の入力端との間を電線（図示せず）により接続する。そして最後に、作業者は、器具本体１及び取付部材２１にそれぞれ設けた取付構造（図示せず）によって光源ユニット２を器具本体１に取り付ける。以上のような手順に従って照明器具１０が天井材に取り付けられる（図６参照）。
【００３８】
次に、本発明の特徴部分について、図１〜図４を参照しながら具体的に説明する。
【００３９】
例えば、２つの照明器具１０，１０を前後方向（器具本体１の長手方向）に並べて設置すると、図４（ａ）に示すように、隣接する２つの第１カバー２３，２３間に隙間１００が生じる。この状態でＬＥＤモジュール２２を点灯させると、隙間１００に第１カバー２３がないことから、第１カバー２３がある部分に比べて隙間１００が暗くなってしまう。
【００４０】
本実施形態では、上記問題を解決するために、第１カバー２３に対して前後方向に移動可能な第２カバー２４を備えている。そして、図４（ｂ）〜図４（ｄ）に示すように、第２カバー２４を隙間１００側に移動させることで曲面部２４２により隙間１００を塞ぐことができる。
【００４１】
第２カバー２４の曲面部２４２により隙間１００を塞いだ状態では、ＬＥＤモジュール２２から放射される光が曲面部２４２を通して照明空間側（下側）に照射され、これにより隙間１００に生じる暗がりを低減することができる。その結果、照明器具１０を含めた空間全体の意匠性が低下するのを抑えることができる。
【００４２】
また、第２カバー２４を第１カバー２３から引き出した状態では、図３（ａ）及び図３（ｂ）に示すように、第１カバー２３の曲面部２３１と第２カバー２４の曲面部２４２との間に段差が生じる。そして、ＬＥＤモジュール２２を消灯させた状態では上記段差が見えてしまい、外観上好ましくない。そのため、第２カバー２４を第１カバー２３から引き出した状態では、曲面部２４２を覆うようにして第３カバー２６を第２カバー２４に取り付けるのが好ましい。
【００４３】
第３カバー２６は、例えば第１カバー２３と同色系で且つ拡散性を有する材料からなり、左右方向における両端から中央に近づくほど下側への突出量が大きくなるような凸レンズ形状の曲面部２６０を有している。曲面部２６０の左右方向における両端には、上向きに突出し且つ先端が内向きに延長されたＬ字状の引掛部２６１がそれぞれ一体に形成されている。また、曲面部２６０の左右方向における両端には、引掛部２６１よりも外側に突出する突出部２６２がそれぞれ一体に形成されている。
【００４４】
この第３カバー２６は、引掛部２６１，２６１を第２カバー２４の溝２４２０，２４２０の開口端縁にそれぞれ引っ掛けることで第２カバー２４に取り付けられる。そして、第３カバー２６を第２カバー２４に取り付けた状態では、図３（ｃ）及び図４（ｅ）に示すように上記段差はなくなり、第１カバー２３の曲面部２３１と第３カバー２６の曲面部２６０とが略面一になる。その結果、第３カバー２６を取り付けない場合に比べて外観の意匠性を向上させることができる。
【００４５】
また、第１カバー２３より引き出した第２カバー２４に第３カバー２６を取り付けることで、２つの光源ユニット２，２を１つの連続した光源とすることができ、これにより光の連続性を実現することができる。
【００４６】
さらに、第３カバー２６を第２カバー２４に取り付けた状態では、第２カバー２４の曲面部２４２と第３カバー２６の曲面部２６０とが重なっており、重なり部分の透過率が低下することから、重なり部分を通して照明空間側に照射される光が減少することになる。この場合、第２カバー２４において少なくとも曲面部２４２を無色透明にするのが好ましく、これにより第２カバー２４と第３カバー２６との重なり部分を通して照明空間側に照射される光の減少を抑えることができる。
【００４７】
また、本実施形態では、第１カバー２３に対して第２カバー２４を前後方向に移動させることができるが、第２カバー２４が第１カバー２３から抜けないように、第２カバー２４の移動量を規制する規制部を設けるのが好ましい。以下、図１及び図２を参照しながら具体的に説明する。
【００４８】
第２カバー２４は、図２（ａ）に示すように、左右方向における両端側で且つエンド板２４１と反対側（図２（ａ）中の下側）の端縁からエンド板２４１と反対側に突出する一対の引掛部２４３，２４３を有している。各引掛部２４３の先端には、外向きに突出する三角形状の爪部２４３０が一体に形成されている。
【００４９】
第１カバー２３の各突壁部２３３には、図２（ｂ）に示すように、左右方向において第２カバー２４の各引掛部２４３と対向する溝２３３３が設けられている。溝２３３３は、前後方向に長い矩形状に開口し、前後方向における途中位置には内向きに突出する突起部２３３４が設けられている。
【００５０】
続けて、第２カバー２４の動作について説明する。
【００５１】
図１（ａ）及び図２（ａ）に示す状態では、第２カバー２４の爪部２４３０，２４３０が第１カバー２３の突起部２３３４，２３３４にそれぞれ引っ掛かっており、第２カバー２４が第１カバー２３に保持されている。なお、この位置が第２カバー２４の第１位置である。
【００５２】
この状態から、作業者が第２カバー２４を外向き（第１カバー２３から離れる向き）に引っ張ると、爪部２４３０，２４３０が突起部２３３４，２３３４にそれぞれ乗り上げ、引掛部２４３，２４３が互いに近づく向きに撓められる。
【００５３】
作業者が第２カバー２４をさらに外向きに引っ張ると、爪部２４３０，２４３０が突起部２３３４，２３３４をそれぞれ乗り越え、引掛部２４３，２４３が元の状態に戻る。この状態から、作業者が第２カバー２４をさらに外向きに引っ張ると、爪部２４３０，２４３０が溝２３３３内を外向きに移動し、第２カバー２４が上記第２位置（図２（ｂ）に示す位置）まで移動する。
【００５４】
このとき、第２カバー２４の爪部２４３０，２４３０が溝２３３３，２３３３の端縁部分にそれぞれ引っ掛かっており、第２カバー２４はそれ以上外向きに移動することができない。つまり、第２カバー２４の爪部２４３０，２４３０が溝２３３３，２３３３の端縁部分に引っ掛かることで、第２カバー２４の移動が規制される（図１（ｂ）及び図２（ｂ）参照）。その結果、第２カバー２４が第１カバー２３から抜けるのを抑えることができる。
【００５５】
また、図１（ｂ）及び図２（ｂ）に示す状態から、作業者が第２カバー２４を内向き（第１カバー２３に近づく向き）に押し込むと、第２カバー２４の移動に伴って爪部２４３０，２４３０が溝２３３３，２３３３内を内向きに移動する。
【００５６】
作業者が第２カバー２４をさらに内向きに押し込むと、爪部２４３０，２４３０が突起部２３３４，２３３４にそれぞれ乗り上げ、引掛部２４３，２４３が互いに近づく向きに撓められる。
【００５７】
この状態から、作業者が第２カバー２４をさらに内向きに押し込むと、爪部２４３０，２４３０が突起部２３３４，２３３４をそれぞれ乗り越え、引掛部２４３，２４３が元の状態に戻る。このとき、第２カバー２４の爪部２４３０，２４３０が突起部２３３４，２３３４にそれぞれ引っ掛かっており、第２カバー２４が第１カバー２３に保持される。ここに、本実施形態では、第１カバー２３に設けた溝２３３３と、第２カバー２４に設けた引掛部２４３とで規制部が構成されている。
【００５８】
なお、本実施形態では、第１カバー２３に設けた溝２３３３と、第２カバー２４に設けた引掛部２４３とで規制部を構成したが、本構成は一例であって、第２カバー２４の移動量を規制できれば他の構成でもよい。また、本実施形態では、第２カバー２４の曲面部２４２のみを無色透明としたが、少なくとも曲面部２４２が無色透明になっていればよく、例えば第２カバー２４の全体が無色透明であってもよい。
【００５９】
本実施形態の光源ユニット２は、基板２２１と、取付部材２１と、第１カバー２３と、第２カバー２４とを備える。基板２２１には、１乃至複数のＬＥＤ２２２（発光素子）が実装される。取付部材２１は、長尺に形成され、且つ基板２２１が取り付けられる。第１カバー２３は、透光性材料により長尺に形成され、且つ基板２２１を覆うようにして取付部材２１に取り付けられる。第２カバー２４は、透光性材料により形成され、且つ第１カバー２３の長手方向における端部に取り付けられる。第１カバー２３は、取付部材２１に取り付けられた状態で基板２２１と対向する曲面部２３１（第１透光部）を有する。第２カバー２４は、第１カバー２３の長手方向において、第１カバー２３に最も近づく第１位置と第１カバー２３から最も離れる第２位置との間で移動可能に構成される。また、第２カバー２４は、上記第１位置に移動した状態で曲面部２３１と対向し、且つ上記第２位置に移動した状態で第１カバー２３から露出する曲面部２４２（第２透光部）を有する。
【００６０】
また、本実施形態の光源ユニット２のように、第１カバー２３及び第２カバー２４は、第１カバー２３に対する第２カバー２４の移動量を規制する規制部（溝２３３３及び引掛部２４３）を有しているのが好ましい。
【００６１】
また、本実施形態の光源ユニット２のように、第３カバー２６を備えているのが好ましい。この場合、第３カバー２６は、第１カバー２３と同系色の透光性材料により形成される。また、第３カバー２６は、第２カバー２４を上記第２位置へ移動させた状態で露出する曲面部２４２を覆うようにして第２カバー２４に取り付けられる。
【００６２】
また、本実施形態の光源ユニット２のように、第２カバー２４は、少なくとも曲面部２４２が無色透明であるのが好ましい。
【００６３】
本実施形態の照明器具１０は、光源ユニット２と、光源ユニット２が取り付けられる器具本体１とを備える。
【符号の説明】
【００６４】
２１  取付部材
２３  第１カバー
２４  第２カバー
２２１  基板
２３１  曲面部（第１透光部）
２４２  曲面部（第２透光部）
【図１】
2015176746.tif 000003
【図２】
2015176746.tif 000004
【図３】
2015176746.tif 000005
【図４】
2015176746.tif 000006
【図５】
2015176746.tif 000007
【図６】
2015176746.tif 000008
【図７】
2015176746.tif 000009